(57)【特許請求の範囲】
【請求項１】
住戸外に設置されるドアホン子機と、住戸内に設置されドアホン子機との間で信号を送受信するインターホン親機と、住戸内に設置される複数の煙感知式の火災感知器とを備え、各火災感知器は、投光素子から煙粒子を含む浮遊粒子が存在する監視空間に照射された光を受光素子で受光するように構成され受光素子の受光量に基づいて空気の汚れ度合いを検出する汚れ度合い検出部と、インターホン親機へ信号を送信する送信部と、汚れ度合い検出部により検出された空気の汚れ度合いに応じて換気の必要性の有無および火災の有無を判断し、換気の必要性有りと判断したときには換気要求信号をインターホン親機へ送信し火災有りと判断したときには火災信号をインターホン親機へ送信するように送信部を制御する信号処理部とを有し、インターホン親機は、各火災感知器からの信号を受信する受信部と、火災警報の発報および換気を要求する音声通知を行う報知部とを有し、受信部が火災信号を受信したときには報知部が火災警報を発報し換気要求信号を受信したときには報知部が換気を要求する音声通知を行い、インターホン親機は、受信部において換気要求信号と火災信号との両方を受信したときには、火災信号を優先して報知部から火災警報を発報させることを特徴とするインターホンシステム。
【発明の詳細な説明】
【技術分野】
【０００１】
本発明は、インターホンシステムに関するものである。
【背景技術】
【０００２】
平成１６年の消防法の改正により、全国一律に住宅用の火災警報器の設置が義務づけられるようになったが、従来の火災警報器としては、住戸内の天井や壁に取り付けられ、火災時に発生する煙を検知したときにブザーなどを駆動して火災警報を発報させ、一体または別体に設けられた警報停止スイッチが操作されたときに火災警報の発報を停止するものがあった。或いは、台所や居間、寝室などの各部屋にそれぞれ設置された火災警報器が信号線で接続され、火災発生を検知した火災警報器から他の火災警報器に対して信号線を介して警報信号を送信することで全ての火災警報器から火災警報を発報させるようにしたものも提供されている。
【０００３】
一方、図４に示すように、住戸内に設置されるインターホン親機１’と、インターホン親機１’に接続され住戸外の玄関に設置されるドアホン子機２’と、ガスセンサ（例えば、散乱光式煙感知器）１１’とを備え、来訪者がドアホン子機２’の呼出釦２ａ’を操作したときにインターホン親機１’から住戸人を呼び出す呼出音を出力し、住戸人がインターホン親機１’の通話釦１ｇ’を操作することでインターホン親機１’とドアホン子機２’とを介して来訪者と通話を行うことができるとともに、火災を検知したガスセンサ１１’と連動してインターホン親機１’が火災警報を発報するようにしたインターホンシステムが提案されている（特許文献１参照）。
【０００４】
なお、インターホン親機１’は、住戸人が来訪者とインターホン親機１’とドアホン子機２’とを介して通話が可能となるようにするための通話回路１ｃ’と、信号線Ｌ１’を介して接続されたガスセンサ１１’からの非常信号を受信したとき、または外付非常釦３’が押されたときに後述のＣＰＵ１ａに信号を出力するアラームユニット１ｑ’と、音声を出力するためのスピーカ１ｂ’と、スピーカ１ｂ’の接続相手を通話回路１ｃ’またはアラームユニット１ｑ’に切り替える切替器１ｅ’と、音声を入力するためのマイクロホン１ｆ’と、住戸人が来訪者と通話する際に操作する通話釦１ｇ’と、ドアホン子機２’からの呼出信号を検知する呼出検知回路１ｈ’と、スピーカ１ｂ’からチャイム音を発生するためのチャイム音発生回路１ｄ’と、呼出検知回路１ｈ’或いはアラームユニット１ｑ’からの信号を受信してチャイム音発生回路１ｄ’或いは切替器１ｅ’を動作させるＣＰＵ１ａ’とを備えている。
【特許文献１】特開平８−７０３６１号公報
【発明の開示】
【発明が解決しようとする課題】
【０００５】
しかしながら、図４に示す構成のインターホンシステムは、火災が発生した時に限り火災を検知したガスセンサ１１’とインターホン親機１’とが連動して火災警報を発報する機能を有するものであり、平時には、ガスセンサ１１’とインターホン親機１’とが連動する機能を有効に活用することがなかった。
【０００６】
本願発明は上記に鑑みてなされたものであり、その目的は、平時においても火災感知器とインターホン親機とが連動する機能を有効に活用できるようにしたインターホンシステムを提供することにある。
【課題を解決するための手段】
【０００７】
請求項１の発明は、住戸外に設置されるドアホン子機と、住戸内に設置されドアホン子機との間で信号を送受信するインターホン親機と、住戸内に設置される複数の煙感知式の火災感知器とを備え、各火災感知器は、投光素子から煙粒子を含む浮遊粒子が存在する監視空間に照射された光を受光素子で受光するように構成され受光素子の受光量に基づいて空気の汚れ度合いを検出する汚れ度合い検出部と、インターホン親機へ信号を送信する送信部と、汚れ度合い検出部により検出された空気の汚れ度合いに応じて換気の必要性の有無および火災の有無を判断し、換気の必要性有りと判断したときには換気要求信号をインターホン親機へ送信し火災有りと判断したときには火災信号をインターホン親機へ送信するように送信部を制御する信号処理部とを有し、インターホン親機は、各火災感知器からの信号を受信する受信部と、火災警報の発報および換気を要求する音声通知を行う報知部とを有し、受信部が火災信号を受信したときには報知部が火災警報を発報し換気要求信号を受信したときには報知部が換気を要求する音声通知を行い、インターホン親機は、受信部において換気要求信号と火災信号との両方を受信したときには、火災信号を優先して報知部から火災警報を発報させることを特徴とする。
【０００８】
この発明によれば、火災感知器が、インターホン親機へ信号を送信する送信部と、汚れ度合い検出部により検出された空気の汚れ度合いに応じて換気の必要性の有無および火災の有無を判断し、換気の必要性有りと判断したときには換気要求信号をインターホン親機へ送信し火災有りと判断したときには火災信号をインターホン親機へ送信するように送信部を制御する信号処理部とを有し、インターホン親機は、火災感知器からの信号を受信する受信部を有し、受信部が火災信号を受信したときには報知部が火災警報を発報し、換気要求信号を受信したときには報知部が換気を要求する音声通知を出力することができるので、住戸人に対して住戸内の空気の汚れ度合いに応じたより適切な処置を求めることができる。また、火災発生時以外においても住戸人に換気を促す役割を果たすことで火災感知器とインターホン親機とが連動する機能を有効に活用することができる。
【００１０】
また、この発明によれば、インターホン親機は、受信部において換気要求信号と火災信号との両方を受信したときには、火災信号を優先するので、インターホン親機の報知部が換気を要求する音声通知中であっても火災が発生したときには火災警報を発報することができ、住戸人が逃げ遅れるのを防止することができる。
【発明の効果】
【００１１】
請求項１の発明によれば、火災感知器の汚れ度合い検出部が検出した空気の汚れ度合いから、火災感知器の信号処理部が換気の必要性有りと判断したときには、火災感知器の送信部からインターホン親機に換気要求信号が送信され、換気要求信号を受信部で受信したインターホン親機の報知部から換気を要求する音声通知を出力することができるので、火災発生時以外においても火災感知器とインターホン親機とが連動する機能を有効に活用することができる。
【発明を実施するための最良の形態】
【００１２】
以下、本実施形態のインターホンシステムについて図１〜図３に基づいて説明する。
【００１３】
本実施形態のインターホンシステムは、住戸外に設置されるドアホン子機２と、住戸内に設置されドアホン子機２と２線式信号線Ｌ２を介して接続されドアホン子機２との間で信号を送受信するインターホン親機１と、住戸内に設置されインターホン親機１に２線式信号線Ｌ１を介して接続され火災警報を発報する機能を有する複数の煙感知式の火災感知器１１とを備えている。
【００１４】
インターホン親機１は、第１のスピーカ１ｂと、住戸人が音声をインターホン親機１に入力するためのマイクロホン１ｆと、住戸人が来訪者と第１のスピーカ１ｂおよびマイクロホン１ｆを使用して通話が可能となるようにするための通話回路１ｃと、第1のスピーカ１ｂから住戸人を呼び出す呼出音を出力させるための音発生回路１ｄと、第１のスピーカ１ｂの接続相手を通話回路１ｃまたは音発生回路１ｄに切り替える切替器１ｅと、住戸人が操作することで来訪者と通話ができる状態にインターホン親機１を設定する通話釦１ｇと、ドアホン子機２の呼出釦２ａが操作されたときにドアホン子機２から２線式信号線Ｌ２を介して伝送される呼出信号を検知する呼出検知回路１ｈと、商用電源ＡＣからの電力供給を受けインターホン親機１の駆動電圧を生成する電源回路１ｍと、電源回路１ｍで生成した駆動電圧を２線式信号線Ｌ１に出力する電源供給回路１ｎとを備える。ここで、第1のスピーカ１ｂが、火災警報や換気を要求する音声通知を出力し、住戸人に火災の発生或いは室内の換気が必要になった旨を報知する報知部としての役割を果たす。また、インターホン親機１は、２線式信号線Ｌ１の線間電圧のレベルを検知する第１の電圧検知回路１ｉと、後述の第１のＣＰＵ１ａにより制御され２線式信号線Ｌ１の線間電圧のレベルを変動させる第１の電圧レベル変動制御回路１ｊと、第１のスピーカ１ｂから出力される火災警報或いは換気を要求する音声通知を停止させるための警報停止釦１ｋと、呼出検知回路１ｈが呼出信号を受信したとき或いは第１の電圧検知回路１ｉが２線式信号線Ｌ１の線間電圧のレベルが所定のレベルに制御されていることを検知したときに、音発生回路１ｄ、切替器１ｅおよび第１の電圧レベル変動制御回路１ｊを動作させる第１のＣＰＵ１ａとを備える。
【００１５】
また、火災感知器１１は、図１に示すように、空気の汚れ度合いを検出する光散乱式の汚れ度合い検出部１１ｂと、第２のスピーカ１１ｄと、第２のスピーカ１１ｄから火災警報を出力するための警報音発生回路１１ｃと、２線式信号線Ｌ１に生じる線間電圧のレベルを検知する第２の電圧検知回路１１ｅと、後述の第２のＣＰＵ１１ａにより制御され２線式信号線Ｌ１の線間電圧のレベルを変動させる第２の電圧レベル変動制御回路１１ｆと、火災警報の発報を停止させるための警報停止スイッチ１１ｐおよび警報停止スイッチ１１ｐを操作するための警報停止紐１１ｇと、第２の電圧検知回路１１ｅが２線式信号線Ｌ１の線間電圧のレベルが所定のレベルに設定されたことを検知したとき、或いは汚れ度合い検出部１１ｂが検出した空気の汚れ度合いから、第２のＣＰＵ１１ａが火災有りまたは換気の必要性有りと判断したときに第２の電圧レベル変動制御回路１１ｆを動作させる第２のＣＰＵ１１ａとを備える。
【００１６】
ここで、インターホン親機１は、住戸人がインターホン親機１とドアホン子機２とを介して来訪者と通話を行うことができるようにするインターホン機能を有しており、来訪者によってドアホン子機２の呼出釦２ａが操作されると２線式信号線Ｌ２に呼出信号が出力され、インターホン親機１の呼出検知回路１ｈが当該呼出信号を検知すると、第１のＣＰＵ１ａは、切替器１ｅを音発生回路１ｄ側に切り替えて、音発生回路１ｄと第１のスピーカ１ｂとを接続し、第１のスピーカ１ｂから住戸人を呼び出す呼出音が出力される。ここで、住戸人により通話釦１ｇが操作されると、第１のＣＰＵ１ａは、切替器１ｅを通話回路１ｃ側に切り替えて、通話回路１ｃと第１のスピーカ１ｂとを接続することで、住戸人が来訪者とインターホン親機１およびドアホン子機２を介して通話ができる状態になる。
【００１７】
また、本実施形態のインターホンシステムは、上述のインターホン機能を有するとともに、インターホン親機１と、複数の火災感知器１１とによりセキュリティシステムを構成している。
【００１８】
ここで、インターホン親機１の電源回路１ｍは、インターホン親機１の駆動電圧を生成するだけでなく、電源供給回路１ｎから２線式信号線Ｌ１を介して複数の火災感知器１１に駆動電圧を供給している。しかして、インターホン親機１から２線式信号線Ｌ１を介して複数の火災感知器１１に駆動電圧を供給するので、火災感知器１１には電源回路が不要となり、システム全体のコストを低減することができる。ここで、２線式信号線Ｌ１の線間電圧は、通常時において、所定のレベル（Ｖ１）に維持されている。
【００１９】
火災感知器１１の汚れ度合い検出部１１ｂは、ＬＥＤ等の発光素子よりなる投光素子１１１から監視空間１１４に照射された光が煙等の浮遊粒子により散乱された光を受光するフォトダイオード等よりなる受光素子１１２の受光量に基づいて空気の汚れ度合いを検出する。ここで、汚れ度合い検出部１１ｂにより検出された住戸の部屋内の空気の汚れ度合いに応じて、第２のＣＰＵ１１ａが換気の必要性の有無および火災の有無を判断する。受光素子１１２の受光量が換気要求判断用に予め設定された換気通知閾値以上かつ火災発生判断用に予め設定された火災警報閾値未満（以下、換気通知領域という）の場合には、第２のＣＰＵ１１ａは、換気の必要性有りと判断し、第２の電圧レベル変動制御回路１１ｆによって２線式信号線Ｌ１の線間電圧のレベルを第１の報知レベルＶ２（＜Ｖ１）に制御する。また、受光素子１１２の受光量が火災警報閾値以上（以下、火災警報領域という）の場合には、第２のＣＰＵ１１ａは、火災有りと判断し、警報音発生回路１１ｃを起動して第２のスピーカ１１ｄへ信号を出力させるとともに、第２の電圧レベル変動制御回路１１ｆによって２線式信号線Ｌ１の線間電圧のレベルを第１の報知レベルＶ２よりも低電圧の第２の報知レベルＶ３に制御させる。つまり、第２の電圧レベル変動制御回路１１ｆは、２線式信号線Ｌ１の線間電圧のレベルを第１の報知レベルＶ２に制御することで火災感知器１１からインターホン親機１に換気要求信号を送信し、２線式信号線Ｌ１の線間電圧のレベルを第２の報知レベルＶ３に制御することで火災感知器１１からインターホン親機１に火災信号を送信する送信部を構成している。また、第２のＣＰＵ１１ａが、換気の必要性有りまたは火災有りと判断したときに第２の電圧レベル変動制御回路１１ｆに２線式信号線の線間電圧を第１の報知レベルＶ２または第２の報知レベルＶ３に制御させる信号処理部としての役割を果たす。ここで、２線式信号線Ｌ１の線間電圧のレベルが第１の報知レベルのときは、第２のスピーカ１１ｄは火災警報を発報し続け、第２の報知レベルのときは、第２のスピーカ１１ｄは換気を要求する音声通知を出力する。
【００２０】
ここで、住戸の部屋内で火災有り、或いは、住戸内の換気の必要性有りと判断した火災感知器１１以外の他の火災感知器１１の第２のＣＰＵ１１ａは、第２の電圧検知回路１１ｅが検知する２線式信号線Ｌ１の線間電圧のレベルを監視している。ここで、第２のＣＰＵ１１ａは、第２の電圧検知回路１１ｅが検知した線間電圧のレベルが第１の報知レベルＶ２或いは第２の報知レベルＶ３に設定されたことを判別すると、警報音発生回路１１ｃから第２のスピーカ１１ｄへ信号を出力させる。これにより、上述の火災有り或いは換気の必要性有りと判断した火災感知器１１と連動して他の火災感知器１１も第２のスピーカ１１ｄから火災警報を発報するか、或いは換気を要求する音声通知を出力する。
【００２１】
ところで、インターホン親機１の第１の電圧検知回路１ｉは、火災検知器１１の第２の電圧レベル変動制御回路１１ｆにより設定された２線式信号線Ｌ１の線間電圧のレベルを検知するものである。つまり、第1の電圧検知回路１ｉは、火災感知器１１からインターホン親機１に送信された換気要求信号或いは火災信号を受信する受信部を構成している。ここで、第１のＣＰＵ１ａは、第１の電圧検知回路１ｉが検知した２線式信号線Ｌ１の線間電圧のレベルを監視しており、第１のＣＰＵ１ａは、電圧レベルが第１の報知レベルＶ２（＜Ｖ１）或いは第２の報知レベルＶ３（＜Ｖ１）に設定されたことを判別すると、切替部１ｅを音発生回路１ｄ側に切り替えて、音発生回路１ｄと第１のスピーカ１ｂとを接続することで、音発生回路１ｄから第１のスピーカ１ｂへ信号を出力させる。これにより、インターホン親機１の第１のスピーカ１ｂから火災警報の発報、或いは換気を要求する音声通知が出力される。しかして、少なくとも１つの火災感知器１１が住戸内で火災有り或いは住戸内の換気の必要性有りと判断すると、当該火災感知器１１と連動して他の火災感知器１１の全ておよびインターホン親機１が火災警報の発報、或いは換気を要求する音声通知を出力することができる。
【００２２】
ここで、火災感知器１１およびインターホン親機１の全てが火災警報を発報或いは換気を要求する音声通知を出力している状態で、火災感知器１１それぞれに備わっている警報停止紐１１ｇのいずれかを引っ張ると、警報停止スイッチ１１ｐが操作され、住戸内で火災有り或いは住戸内の換気の必要性有りと判断した火災感知器１１のみが引き続き火災警報の発報或いは換気を要求する音声通知の出力を続行し、他の火災感知器１１およびインターホン親機１は所定の時間だけ火災警報の発報、または換気を要求する音声通知の出力を停止する。
【００２３】
詳述すると、火災感知器１１に備えられた警報停止紐１１ｇを引っ張ると、警報停止スイッチ１１ｐが操作され、２線式信号線Ｌ１の線間電圧のレベルが所定の時間だけ第２の報知レベルＶ３よりも低い警報停止レベルＶ４に設定される。ここで、火災感知器１１の第２のＣＰＵ１１ａが２線式信号線Ｌ１の線間電圧のレベルが警報停止レベルＶ４に設定されたことを判別したとき、住戸内で火災有り或いは住戸内の換気の必要性有りと判断した火災感知器１１では、引き続き警報音発生回路１１ｃからスピーカ１１ｄに信号が出力され、他の火災感知器１１では、２線式信号線Ｌ１の線間電圧のレベルが警報停止レベルＶ４に設定される所定の時間だけ警報音発生回路１１ｃからスピーカ１１ｄへの信号の出力を停止する。ここで、インターホン親機１の第１のＣＰＵ１ａも、第１の電圧検知回路１ｉが検知した２線式信号線Ｌ１の線間電圧のレベルを監視しており、線間電圧のレベルが警報停止レベルＶ４に設定されたことを判別すると、音発生回路１ｄからスピーカ１ｂへの信号出力を所定の時間だけ停止するので、火災警報の発報、或いは換気要求通知の出力を停止する。しかして、住戸内で火災有り或いは住戸内の換気の必要性有りと判断した火災感知器１１では、第２のスピーカ１１ｄが火災警報の発報、或いは換気を要求する音声通知の出力を続行するのに対し、その他の火災感知器１１は、所定の時間だけ火災警報の発報、或いは換気を要求する音声通知の出力を停止する。つまり、住戸内で火災有り或いは住戸内の換気の必要性有りと判断した火災感知器１１を除いて他の火災感知器１１およびインターホン親機１については火災警報の発報、或いは換気を要求する音声通知の出力を停止させることができる。
【００２４】
また、本実施形態のインターホンシステムでは、インターホン親機１側の操作によっても、住戸内で火災有り或いは住戸内の換気の必要性有りと判断した火災感知器１１を除いた他の火災感知器１１およびインターホン親機１について火災警報の発報、或いは換気を要求する音声通知の出力を所定の時間だけ停止させることができる。
【００２５】
詳述すると、複数の火災感知器１１およびインターホン親機１の全てが火災警報を発報している状態で、インターホン親機１の警報停止釦１ｋを操作すると、インターホン親機１の第１のＣＰＵ１ａは、インターホン親機１の音発生回路１ｄから第１のスピーカ１ｂへの信号出力を所定の時間だけ停止するとともに、第1のＣＰＵ１ａにより制御される第１の電圧レベル変動制御回路１ｊは２線式信号線Ｌ１の線間電圧のレベルを上記警報停止レベルＶ４に所定の時間だけ設定する。しかして、上述と同様に、住戸内で火災有り或いは住戸内の換気の必要性有りと判断された火災感知器１１を除いて他の火災感知器１１およびインターホン親機１については火災警報の発報、或いは換気を要求する音声通知の出力を停止させることができる。
【００２６】
以上により、火災感知器１１およびインターホン親機１の全てが火災警報を発報或いは換気を要求する音声通知を出力している状態で、火災感知器１１それぞれに備わっている警報停止紐１１ｇを引っ張るか、或いはインターホン親機１に備わった警報停止釦１ｋを操作することによって、火災が発生している場所或いは換気が必要な場所を特定することができる。
【００２７】
ところで、汚れ度合い検出部１１ｂは、図２に示すように、樹脂で成形された筐体１０１内に投光素子１１１と受光素子１１２とが互いに光軸が直交するように配設されており、投光素子１１１から監視空間１１４に照射され煙等の浮遊粒子により散乱された光を受光素子１１２で受光するように構成されている。また、筐体１０１内には投光素子１１１から直接受光素子１１２へ向かう光を遮光する遮光部１０２が連続して形成されている。
【００２８】
ここで、火災感知器１１が設置された部屋の空気の汚れ度合いが時間経過とともに上昇していくときの汚れ度合い検出部１１ｂの受光素子１１２の受光量の推移を図３に示す。図３に示すように、住戸内において火災感知器１１が設置された部屋の空気がほとんど汚れておらず浮遊粒子がほとんど存在しないときには、監視空間１１４には浮遊粒子がほとんど存在せず、投光素子１１１から出射され浮遊粒子によって散乱された光はほとんど受光素子１１２に入射しないので、受光素子１１２の受光量は低いレベルで推移する。ところが、部屋の空気の汚れ度合いが上昇すると、監視空間１１４に存在する浮遊粒子の量が増加し、それに伴い浮遊粒子によって散乱され受光素子１１２に入射する光の量が増加する。また、部屋で火災が発生したときには、監視空間１１４に存在する煙粒子の量が更に増加し、それに伴い受光素子１１２に入射する光の量が更に増加する。
【００２９】
ここで、受光素子１１２の受光量が換気通知領域にあるときには、第２のＣＰＵ１１ａは、第２の電圧レベル変動制御回路１１ｆに２線式信号線Ｌ１の線間電圧のレベルを第１の報知レベルＶ２に制御させる。また、受光素子１１２の受光量が火災警報領域にあるときは、第２のＣＰＵ１１ａは、第２の電圧レベル変動制御回路１１ｆに２線式信号線Ｌ１の線間電圧のレベルを第２の報知レベルＶ３に制御させる。
【００３０】
しかして、受光素子１１２の受光量が換気通知領域にあるときには、火災感知器１１の第２のスピーカ１１ｄおよびインターホン親機１の第１のスピーカ１ｂから住戸人に換気要求が通知され、受光素子１１２の受光量が火災警報領域に達すると、火災警報が発報するようになっている。つまり、本実施形態のインターホンシステムは、住戸内の空気の汚れ度合いに応じて住戸人に換気を促す役割を果たすので、火災発生時以外においても火災感知器１１とインターホン親機１とが連動する機能を有効に活用することができる。また、本実施形態のインターホンシステムは、火災感知器１１が設置された住戸内の空気の汚れ度合いに応じて火災警報または換気を要求する音声通知をインターホン親機１にて行うことができるので、住戸人に住戸内の空気の汚れ度合いに応じたより適切な処置を求めることができる。
【００３１】
また、本実施形態のインターホンシステムでは、火災感知器１１において、汚れ度合い検出部１１ｂの受光素子１１２の受光量が換気通知領域にあるときには、第２の電圧レベル変動制御回路１１ｆが２線式信号線Ｌ１の線間電圧のレベルを第１の報知レベルＶ２に設定し、インターホン親機１の第1のスピーカ１ｂからは換気を要求する音声通知が放送される。ここで、受光素子１１２の受光量が火災警報領域に達したときには、たとえ換気を要求する音声通知の放送中であっても、第２のＣＰＵ１１ａが第２の電圧レベル変動制御回路１１ｆに２線式信号線Ｌ１の線間電圧のレベルを第２の報知レベルＶ３に設定することで、第１のスピーカ１ｂおよび第２のスピーカ１１ｂから火災警報が発報されるようになっている。しかして、インターホン親機１は、換気を要求する音声通知中であっても火災感知器１１が火災を検知したときには火災警報を発報するので、住戸人が逃げ遅れることを防ぐことができる。
【図面の簡単な説明】
【００３２】
【図１】実施形態のインターホンシステムを示すブロック図である。
【図２】同上の汚れ度合い検出部の動作説明図である。
【図３】同上の動作説明図を示す。
【図４】従来例のインターホンシステムを示すブロック図である。
【符号の説明】
【００３３】
１    インターホン親機
２    ドアホン子機
１ａ  第１のＣＰＵ
１ｂ  第１のスピーカ（報知部）
１ｄ  音発生回路
１ｉ  第１の電圧検知回路（受信部）
１ｊ  第１の電圧レベル変動制御回路
１１  火災感知器
１１ａ  第２のＣＰＵ（信号処理部）
１１ｂ  汚れ度合い検出部
１１ｅ  第２の電圧検知回路
１１ｆ  第２の電圧レベル変動制御回路（送信部）
１１１  投光素子
１１２  受光素子
１１４  監視空間
Ｌ１，Ｌ２  ２線式信号線
【図１】
0005060321.tif 000002
【図２】
0005060321.tif 000003
【図３】
0005060321.tif 000004
【図４】
0005060321.tif 000005